【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
複数のキーワードを記憶するキーワード記憶手段と、
前記複数のキーワード間の関連度を記憶する関連記憶手段と、
前記複数のキーワード各々について、前記複数のキーワード各々が指定されてきた頻度と相関を持つ嗜好度を記憶する嗜好記憶手段と、
選択候補のキーワードを出力する出力手段と、
前記出力手段により出力されたキーワードの中からキーワードを指定する指定手段と、
前記指定手段により指定されたキーワードとの前記関連度と前記嗜好度とに基づき、前記複数のキーワードの中から次回に前記出力手段が出力する提示キーワードを抽出する抽出手段とを備える、キーワード抽出装置。
【請求項２】
外部からの指示を受付ける入力手段と、
前記出力手段により出力されたキーワードを利用者に提示する提示手段をさらに備え、
前記指定手段は、前記指示に応じて、前記提示手段により提示された提示キーワードの中からキーワードを指定する、請求項１に記載のキーワード抽出装置。
【請求項３】
前記キーワードに関連付けられたコンテンツを検索する検索手段をさらに備え、
前記提示手段は、前記検索手段により検索されたコンテンツを提示する、請求項２に記載のキーワード抽出装置。
【請求項４】
前記指定手段によるキーワードの指定に応じて、前記嗜好度を更新する更新手段をさらに備える、請求項１から３のいずれか１項に記載のキーワード抽出装置。
【請求項５】
前記嗜好記憶手段は、複数種類の嗜好度を記憶し、
前記更新手段は、各前記複数種類の嗜好度に対して異なった方法で更新を行なう、請求項４に記載のキーワード抽出装置。
【請求項６】
前記嗜好記憶手段は、長期嗜好度と短期嗜好度とを記憶し、
前記更新手段は、前記長期嗜好度の更新割合よりも前記短期嗜好度の更新割合のほうが大きくなるように嗜好情報の更新を行なう請求項５に記載のキーワード抽出装置。
【請求項７】
前記更新手段は、以前に前記抽出手段により抽出された前記提示キーワードが再び抽出されることを抑制するように、前記嗜好度を更新する、請求項４から６のいずれか１項に記載のキーワード抽出装置。
【請求項８】
前記更新手段は、以前に前記抽出手段により抽出された前記提示キーワードの嗜好度を下げる、請求項７に記載のキーワード抽出装置。
【請求項９】
前記提示手段により提示されたキーワードの提示回数を当該キーワードと関連付けて記憶する手段をさらに備え、
前記抽出手段は、前記記憶された提示回数に基づき、前記提示手段により、予め定められた抑制回数の間、提示されていないキーワードを優先して前記提示キーワードを抽出する、請求項２または３に記載のキーワード抽出装置。
【請求項１０】
前記指示に応じて、以前に前記提示手段により提示された前記提示キーワードを前記提示手段に再提示させる再提示手段と、
前記再提示手段に前記再提示を行なわせる指示または前記抽出手段に提示キーワードを抽出させる指示のいずれがなされたかに応じて、前記抑制回数を増減させる手段とをさらに備える、請求項９に記載のキーワード抽出装置。
【請求項１１】
前記指定手段により指定されたキーワードの提示回数を当該キーワードと関連付けて記憶する手段をさらに備え、
前記抽出手段は、前記記憶された提示回数に基づき、前記指定手段により、予め定められた抑制回数の間、指定されていないキーワードを優先して前記提示キーワードを抽出する、請求項２または３のいずれかに記載のキーワード抽出装置。
【請求項１２】
前記指示に応じて、以前に前記提示手段により提示された前記提示キーワードを前記提示手段に再提示させる再提示手段と、
前記再提示手段に前記再提示を行なわせる指示または前記抽出手段に提示キーワードを抽出させる指示のいずれがなされたかに応じて、前記抑制回数を増減させる手段とをさらに備える、請求項１１に記載のキーワード抽出装置。
【請求項１３】
前記指示に基づき、操作単位を示すセッションを判定するセッション判定手段をさらに備え、
前記更新手段は、前記セッション判定手段の判定結果に基づき、前記嗜好度を更新する、請求項４から８のいずれか１項に記載のキーワード抽出装置。
【請求項１４】
前記指示に基づき、操作単位を示すセッションを判定するセッション判定手段をさらに備え、
前記抽出手段は、前記セッション判定手段の結果により、キーワードの提示を抑制する回数を変化させる請求項９から１２のいずれか１項に記載のキーワード抽出装置。
【請求項１５】
前記抽出手段は、前記指示に応じて、前記複数のキーワードの中からランダムに前記提示キーワードを抽出する、請求項１から１４のいずれか１項に記載のキーワード抽出装置。
【請求項１６】
前記抽出手段は、前記指示に応じて、すべての前記複数のキーワードを所定の順序で順に抽出する、請求項１から１５のいずれか１項に記載のキーワード抽出装置。
【請求項１７】
複数のキーワードを記憶するキーワード記憶部と、
前記複数のキーワード間の関連度を記憶する関連記憶部と、
前記複数のキーワード各々について、前記複数のキーワード各々が指定されてきた頻度と相関を持つ嗜好度を記憶する嗜好記憶部と、
選択候補のキーワードを出力する出力部と、
前記キーワード記憶部、前記関連記憶部、前記嗜好記憶部、前記出力部の動作を制御する制御部を備えるコンピュータを用いて、次回に前記出力部が出力する提示キーワードを抽出するためのキーワード抽出方法であって、
前記出力部により出力されたキーワードの中からキーワードを指定するステップと、
前記指定部により指定されたキーワードとの前記関連度と前記嗜好度とに基づき、前記複数のキーワードの中から前記提示キーワードを抽出するステップとを備える、キーワード抽出方法。
【請求項１８】
複数のキーワードを記憶するキーワード記憶部と、
前記複数のキーワード間の関連度を記憶する関連記憶部と、
前記複数のキーワード各々について、前記複数のキーワード各々が指定されてきた頻度と相関を持つ嗜好度を記憶する嗜好記憶部と、
選択候補のキーワードを出力する出力部と、
前記キーワード記憶部、前記関連記憶部、前記嗜好記憶部、前記出力部の動作を制御する制御部を備えるコンピュータに、次回に前記出力部が出力する提示キーワードを抽出させるためのキーワード抽出プログラムであって、
前記出力部により出力されたキーワードの中からキーワードを指定するステップと、
前記指定部により指定されたキーワードとの前記関連度と前記嗜好度とに基づき、前記複数のキーワードの中から前記提示キーワードを抽出するステップとを前記制御部に実行させる、キーワード抽出プログラム。
【請求項１９】
請求項１８に記載のキーワード抽出プログラムを格納したコンピュータ読取可能な記録媒体。
【手続補正２】
【補正対象書類名】明細書
【補正対象項目名】０１０３
【補正方法】変更
【補正の内容】
【０１０３】
なお、本実施例では、直近提示（あるいは選択）回数を、最後にそのキーワードを提示
（あるいは選択）したのが、何回目のキーワード抽出処理に際してかを示すものとして定義したので、上記のような処理を行なうが、他の方法でキーワード提示の抑制を行なうこともできる。例えば、直近提示（あるいは選択）回数を、何回前に提示（あるいは選択）されたかを示すものとして定義し、ｎ（あるいはｍ）と比較することで、提示の抑制を行なうことも可能である。この場合、ＣＰＵ２０６は、例えば、ステップＳ１０５において、嗜好度を更新するとともに、直近選択回数を更新する。直前に選択されたキーワードの直近選択回数を１、その前に選択されたキーワードの直近選択回数を２、以降１ずつ増加するように、直近選択回数を更新する。直近提示回数についても同様に更新する。